(57)【特許請求の範囲】
【請求項１】
両面又は片面に凸部を有する合成樹脂製の長尺の芯板の少なくとも巾方向片端部が断面略Ｕ字状に曲成され、この芯板の巾方向片端部と反対側端部との間に透水シートが張設されていることを特徴とする裏込め面状排水材。
【請求項２】
両面又は片面に凸部を有する合成樹脂製の長尺の芯板の巾方向片端部、又は巾方向片端部と反対側端部の双方に、断面略Ｕ字状の溝部材の片側縁が接合され、該溝部材の接合された片側縁に対する反対側縁と上記芯板の反対側端部との間、又は双方の溝部材の接合された片側縁に対する反対側縁の相互間に透水シートが張設されていることを特徴とする裏込め面状排水材。
【発明の詳細な説明】
【０００１】
【発明の属する技術分野】
本発明は、トンネルの覆工コンクリート層や地盤に沿って配設する裏込め面状排水材に関する。
【０００２】
【従来の技術】
従来より面状排水材として、凹凸を有するプラスチック製の芯材の片面又は両面を透水性を有する織布や不織布などで覆ったものが多く使用されており、特に長尺の面状排水材は、コンクリート層や地盤等に沿って人工的に埋設して地中水を外部に排出する場合に好適に使用されている。
【０００３】
【発明が解決しようとする課題】
しかし、上記の面状排水材は長尺の故に、接続される水抜き本管等に余剰水を運ぶまでの距離が長く、余剰水が織布や不織布などを通して周辺に逆流して漏れ出すことがあるため、周辺のコンクリート層を侵食したり、地盤の土砂を流出させるなどの問題が生じていた。
【０００４】
本発明は上記の問題点に鑑み、配設後すみやかに且つ可能な限りの水量を面状排水材の接続されている水抜き本管等に運ぶことができる裏込め面状排水材の提供を目的とする。
【０００５】
【課題を解決するための手段】
上記目的を達成するため、第１の発明に係る裏込め面状排水材は、両面又は片面に凸部を有する合成樹脂製の長尺の芯板の少なくとも巾方向片端部が断面略Ｕ字状に曲成され、この芯板の巾方向片端部と反対側端部との間に透水シートが張設されていることを特徴とするものである。
【０００６】
上記面状排水材を、その断面略Ｕ字状に曲成された巾方向片端部が下方となるようにコンクリート層や地盤等に沿って配設すると、コンクリート層内の水分や地盤からの湧水等の余剰水が透水シートを通じて面状排水材の中に吸収され、この吸収された余剰水が、芯板の断面略Ｕ字状に曲成された巾方向片端部を流れて外部に漏れ出すことなく、これに接続された水抜き本管等まで排水されるので、漏れ出しによるコンクリート層の侵食や周辺地盤の土砂の流出を防止することができる。
【０００７】
次に、第２の発明に係る裏込め面状排水材は、両面又は片面に凸部を有する合成樹脂製の長尺の芯板の巾方向片端部、又は巾方向片端部と反対側端部の双方に、断面略Ｕ字状の溝部材の片側縁が接合され、該溝部材の接合された片側縁に対する反対側縁と上記芯板の反対側端部との間、又は双方の溝部材の接合された片側縁に対する反対側縁の相互間に透水シートが張設されていることを特徴とするものである。
【０００８】
斯かる面状排水材も、溝部材が下方となるようにコンクリート層や地盤等に沿って配設すると、透水シートを通じて吸収された余剰水が溝部材の内側を流れて外部に漏れ出すことなく水抜き本管等まで排水されるので、上記と同様の作用効果が奏される。
【０００９】
【発明の実施の形態】
以下、図面を参照して本発明の具体的な実施形態を説明する。
【００１０】
図１は第１の発明に係る裏込め面状排水材の一実施形態を示す概略断面図である。
【００１１】
この裏込め面状排水材１１は、両面に凸部２１を有する合成樹脂製の長尺の芯板２の巾方向片端部２２（巾方向下端部）を断面略Ｕ字状に曲成し、この芯板２の巾方向片端部２２と反対側端部２３との間に透水シート４を張設したものである。
【００１２】
芯板２としては、この実施形態のように両面に凸部２１を有するものは勿論、片面のみに凸部２１を有するものも使用され、また、凸部が長さ方向に連続的な波形となっているものや、凸部が中空又は中実となっているものも使用される。更に、これらの芯板２の板面に多数の貫通孔を設けたものも使用される。但し、略Ｕ字状に曲成する巾方向片端部２２に凸部２１が形成されていないものを使用することが望ましい。略Ｕ字状に曲成する巾方向片端部２２に凸部２１が形成されていると、流水抵抗が大きくなって排水性の低下を招く心配があるからである。芯板２の材質としては、ポリ塩化ビニル、ポリエチレン、ポリエステルその他の合成樹脂や、ＦＲＰのようにガラス繊維で強化した合成樹脂等が使用される。
【００１３】
一方、透水シート４としては、織布、不織布、繊維マット等が好適であり、プラスチック製の有孔シートも使用可能である。透水シート４の張設は、透水シート４の上下両端部を接着剤等で芯板２の片端部２２と反対側端部２３に接着してもよいし、場合によっては溶着するようにしてもよい。
【００１４】
図２は上記裏込め面状排水材１１の一使用例を示す概略説明図である。
【００１５】
これによれば、地盤８に沿って裏込め面状排水材１１をその断面略Ｕ字状に曲成された巾方向片端部２２が下方となるように配設し、その表面側からコンクリート層７で覆工して裏込めしている。そして、この面状排水材１１の断面略Ｕ字状に曲成された巾方向片端部２２を水抜き本管（不図示）に接続している。
【００１６】
このように裏込めすると、地盤８からの湧水やコンクリート層７からの余剰水が透水シート４を通って面状排水材１１の中に吸収され、この吸収された余剰水が、断面略Ｕ字状に曲成された巾方向片端部２２の内側を流れて外部に漏れ出すことなく水抜き本管まで流れて効率良く排水される。従って、逆流によるコンクリート層７の侵食や周辺地盤８の土砂の流出を防止することができる。
【００１７】
尚、図２の使用例では、裏込め面状排水材１１を地盤８に沿わせて配設しているが、例えば地盤８の表面に形成した一次覆工のコンクリート層に沿わせて裏込め面状排水材１１を配設し、その表面側から二次覆工のコンクリート層を形成して裏込めするようにしてもよい。
【００１８】
図３は第１の発明に係る裏込め面状排水材の他の実施形態を示す概略断面図である。
【００１９】
この裏込め面状排水材１１は、片面に凸部２１を有する合成樹脂製の長尺の芯板２の巾方向片端部２２と反対側端部２３が、凸部２１のある片面側に向かって断面略Ｕ字状にそれぞれ曲成され、この巾方向片端部２２と反対側端部２３との間に透水シート４が凸部２１を被覆するように張設されたものである。
【００２０】
このような面状排水材１１は、巾方向片端部２２を下側にして配設しても、反対側端部２３を下側にして配設しても、透水シート４を通して吸収した余剰水を外部へ漏れ出すことなく排水できる利点がある。
【００２１】
図４は第２の発明に係る裏込め面状排水材の一実施形態を示す概略断面図である。
【００２２】
この裏込め面状排水材１２は、両面に凸部２１を有する合成樹脂製の長尺の芯板２の巾方向片端部２２（巾方向下端部）に、断面略Ｕ字状の溝部材５の片側縁５１を接合し、該溝部材５の接合された片側縁５１に対する反対側縁５２と上記芯板２の反対側端部２３との間に透水シート４を張設したものである。
【００２３】
溝部材５としては合成樹脂の成形品や、金属板の曲加工品や、金属の押出型材等が使用され、この溝部材５と芯板２の片端部２２との接合手段としては、接着剤による接着、加熱等による溶着、止具による接合など、溝部材５の材質等に応じて種々の手段を採用することができる。
【００２４】
なお、芯板２、透水シート４、透水シート４の張設手段などは、図１に示す前記第１発明の面状排水材のものと実質的に同様であるので、説明を省略する。
【００２５】
上記のような面状排水材１２も、溝部材５が下方となるようにコンクリート層や地盤等に沿って配設すると、透水シート４を通じて吸収された余剰水が溝部材５の内側を流れて外部に漏れ出すことなく水抜き本管等まで排水されるので、逆流によるコンクリート層の侵食や周辺地盤の土砂の流出を防止することが可能となる。
【００２６】
図４に示す実施形態の面状排水材１２では、芯板２の巾方向片端部２２にのみ溝部材５の片側縁５１を接合しているが、芯板２の反対側端部２３にも溝部材の片側縁を接合して双方の溝部材を相対向させて取付け、双方の溝部材の反対側縁の相互間に透水シート４を張設するように構成してもよい。
【００２７】
このように構成すると、図３に示す面状排水材１１の場合と同様に、巾方向片端部２２の溝部材５を下側にして配設しても、反対側端部２３の溝部材を下側にして配設しても、透水シート４を通して吸収した余剰水を溝部材５によって外部へ漏れ出すことなく排水できる利点がある。
【００２８】
【発明の効果】
以上の説明から明らかなように、本発明の裏込め面状排水材は、透水シートを通じて吸収した余剰水を、断面略Ｕ字状に曲成された芯板の巾方向片端部や、断面略Ｕ字状の溝部材によって、外部へ漏れ出すことなく排水できるため、覆工コンクリート層の侵食や周辺地盤の土砂の流失を防止できるといった効果を奏する。
【図面の簡単な説明】
【図１】  第１の発明に係る裏込め面状排水材の一実施形態を示す概略断面図である。
【図２】  同裏込め面状排水材の一使用例を示す概略説明図でる。
【図３】  第１の発明に係る裏込め面状排水材の他の実施形態を示す概略断面図である。
【図４】  第２の発明に係る裏込め面状排水材の一実施形態を示す概略断面図である。
【符号の説明】
１１，１２  裏込め面状排水材
２  芯板
２１  凸部
２２  巾方向片端部
２３  反対側端部
４  透水シート
５  溝部材
５１  片側縁
５２  反対側縁
７  覆工のコンクリート層
８  地盤
【図１】
0003916737.tif 000002
【図２】
0003916737.tif 000003
【図３】
0003916737.tif 000004
【図４】
0003916737.tif 000005